(57)【要約】【課題】静音化しながら冷却対象物を冷却可能な電子装置、投影装置及び冷却制御方法を提供すること。【解決手段】電子装置は、筐体と、筐体の第一側面に近接して配置され、筐体内の空気を排気するための第一排気ファンと、第一排気ファンと対応して配置され、第一側面と反対側の第二側面に形成された第一吸気口と、筐体の第一側面に近接して配置され、第一排気ファンと並設され、筐体内の空気を排気するための第二排気ファンと、第二排気ファンと対応して配置され、第一側面と反対側の第二側面に形成された第二吸気口と、第一排気ファンに対応して配置された第一冷却対象物と、第二排気ファンに対応して配置された第二冷却対象物と、第一排気ファンの回転数と第二排気ファンの回転数とを制御する制御部と、を備える。【選択図】図４
2020160420.tif 000002
【特許請求の範囲】
【請求項１】
筐体と、
前記筐体の第一側面に近接して配置され、前記筐体内の空気を排気するための第一排気ファンと、
前記第一排気ファンと対応して配置され、前記第一側面と反対側の第二側面に形成された第一吸気口と、
前記筐体の前記第一側面に近接して配置され、前記第一排気ファンと並設され、前記筐体内の空気を排気するための第二排気ファンと、
前記第二排気ファンと対応して配置され、前記第一側面と反対側の第二側面に形成された第二吸気口と、
前記第一排気ファンに対応して配置された第一冷却対象物と、
前記第二排気ファンに対応して配置された第二冷却対象物と、
前記第一排気ファンの回転数と前記第二排気ファンの回転数とを制御する制御部と、
を備えることを特徴とする電子装置。
【請求項２】
前記第一排気ファン及び前記第二排気ファンは、前記筐体の前記第一側面側に空気を送風するように前記第一側面と平行に並設した軸流ファンであることを特徴とする請求項１に記載の電子装置。
【請求項３】
前記第二排気ファンは、前記第一排気ファンの両側方に設けられることを特徴とする請求項１乃又は請求項２に記載の電子装置。
【請求項４】
前記制御部は、前記第二排気ファンの回転数を、前記第一排気ファンの回転数よりも大きくなるように制御することを特徴とする請求項１乃至請求項３の何れかに記載の電子装置。
【請求項５】
前記第二排気ファンに対応して近接配置された前記第二冷却対象物は、前記第一排気ファンと、前記第一排気ファンに近接配置された前記第一冷却対象物との間の距離よりも、前記第二排気ファンから離間して配置される、ことを特徴とする請求項１乃至請求項４の何れかに記載の電子装置。
【請求項６】
前記第一排気ファンと前記第二排気ファンとは、略同一形状且つ略同一サイズであることを特徴とする請求項１乃至請求項５の何れかに記載の電子装置。
【請求項７】
前記第一排気ファンの厚さは前記第二排気ファンの厚さよりも薄い、又は前記第一排気ファンの面積は前記第二排気ファンの面積よりも小さい、ことを特徴とする請求項１乃至請求項３の何れかに記載の電子装置。
【請求項８】
前記筐体は、
前記第一側面に排気口を有し、
前記第一側面と反対側の第二側面に吸気口を有し、
前記吸気口と前記第一排気ファンとの間に、前記第一排気ファンに対応して直列的に配置された複数の前記第一冷却対象物を有し、
複数の前記第一冷却対象物のうち、前記吸気口側の前記第一冷却対象物は、前記排気口側の前記第一冷却対象物よりも発熱量が小さい、
ことを特徴とする請求項１乃至請求項７の何れかに記載の電子装置。
【請求項９】
筐体と、
光源装置と、
前記光源装置から出射された光源光により画像光を生成する表示素子と、
前記表示素子から出射された前記画像光をスクリーンに投影する投影光学系と、
前記筐体の第一側面に近接して配置され、前記筐体内の空気を排気するための第一排気ファンと、
前記第一排気ファンと対応して配置され、前記第一側面と反対側の第二側面に形成された第一吸気口と、
前記筐体の前記第一側面に近接して配置され、前記第一排気ファンと並設され、前記筐体内の空気を排気するための第二排気ファンと、
前記第二排気ファンと対応して配置され、前記第一側面と反対側の第二側面に形成された第二吸気口と、
前記第一排気ファンに対応して配置された第一冷却対象物と、
前記第二排気ファンに対応して配置された第二冷却対象物と、
前記光源装置及び前記表示素子を制御するとともに、前記第一排気ファンの回転数と前記第二排気ファンの回転数とを制御する制御部と、
を備えることを特徴とする投影装置。
【請求項１０】
電子装置の冷却制御方法であって、
前記電子装置は、
筐体と、
前記筐体の第一側面に近接して配置され、前記筐体内の空気を排気するための第一排気ファンと、
前記第一排気ファンと対応して配置され、前記第一側面と反対側の第二側面に形成された第一吸気口と、
前記筐体の前記第一側面に近接して配置され、前記第一排気ファンと並設され、前記筐体内の空気を排気するための第二排気ファンと、
前記第二排気ファンと対応して配置され、前記第一側面と反対側の第二側面に形成された第二吸気口と、
前記第一排気ファンに対応して配置された第一冷却対象物と、
前記第二排気ファンに対応して配置された第二冷却対象物と、
制御部と、を備え、
前記制御部は、前記第一排気ファンの回転数と前記第二排気ファンの回転数とを制御する、
ことを特徴とする冷却制御方法。
【発明の詳細な説明】
【技術分野】
【０００１】
本発明は、電子装置と、投影装置と、電子装置の冷却制御方法に関する。
【背景技術】
【０００２】
従来から、ＤＭＤ（デジタル・マイクロミラー・デバイス）と呼ばれるマイクロミラー表示素子や液晶板を用いて形成した画像等を、スクリーンに投影する投影装置が提案されている。例えば、特許文献１の画像投影装置は、第１の光源の側方に配置される第１の光源用の第１のヒートシンクと、第２の光源の側方に配置される第２の光源用の第２のヒートシンクと、第１のヒートシンクと第２のヒートシンクとの間に両者と平行に配置される軸流型送風機である第１の冷却ファンとを備える。また、この画像投影装置内において、第２の光源より高温の第１の光源は、第１の冷却ファンに対し風下側に配置されている。
【先行技術文献】
【特許文献】
【０００３】
【特許文献１】特開２０１５−２２２３０１号公報
【発明の概要】
【発明が解決しようとする課題】
【０００４】
上述の画像投影装置は、第１のヒートシンク、第２のヒートシンク及び第１の冷却ファンを、直列的に配置しているため、負の風圧を高くすることができる。しかし、第１の冷却ファンを、第１のヒートシンクや第２のヒートシンク等の冷却対象物に近づけることで、その冷却対象物を通過する冷却風の風切り音等により騒音が大きくなる場合がある。騒音を低減するために第１の冷却ファンの回転数を下げると空気の輸送量も低下して十分な冷却効果を得られないことが想定される。
【０００５】
本発明は、以上の点に鑑み、静音化しながら冷却対象物を冷却可能な電子装置、投影装置及び冷却制御方法を提供することを目的とする。
【課題を解決するための手段】
【０００６】
本発明の電子装置は、筐体と、前記筐体の第一側面に近接して配置され、前記筐体内の空気を排気するための第一排気ファンと、前記第一排気ファンと対応して配置され、前記第一側面と反対側の第二側面に形成された第一吸気口と、前記筐体の前記第一側面に近接して配置され、前記第一排気ファンと並設され、前記筐体内の空気を排気するための第二排気ファンと、前記第二排気ファンと対応して配置され、前記第一側面と反対側の第二側面に形成された第二吸気口と、前記第一排気ファンに対応して配置された第一冷却対象物と、前記第二排気ファンに対応して配置された第二冷却対象物と、前記第一排気ファンの回転数と前記第二排気ファンの回転数とを制御する制御部と、を備えることを特徴とする。
【０００７】
本発明の投影装置は、筐体と、光源装置と、前記光源装置から出射された光源光により画像光を生成する表示素子と、前記表示素子から出射された前記画像光をスクリーンに投影する投影光学系と、前記筐体の第一側面に近接して配置され、前記筐体内の空気を排気するための第一排気ファンと、前記第一排気ファンと対応して配置され、前記第一側面と反対側の第二側面に形成された第一吸気口と、前記筐体の前記第一側面に近接して配置され、前記第一排気ファンと並設され、前記筐体内の空気を排気するための第二排気ファンと、前記第二排気ファンと対応して配置され、前記第一側面と反対側の第二側面に形成された第二吸気口と、前記第一排気ファンに対応して配置された第一冷却対象物と、前記第二排気ファンに対応して配置された第二冷却対象物と、前記光源装置及び前記表示素子を制御するとともに、前記第一排気ファンの回転数と前記第二排気ファンの回転数とを制御する制御部と、を備えることを特徴とする。
【０００８】
本発明の冷却制御方法は、電子装置の冷却制御方法であって、前記電子装置は、筐体と、前記筐体の第一側面に近接して配置され、前記筐体内の空気を排気するための第一排気ファンと、前記第一排気ファンと対応して配置され、前記第一側面と反対側の第二側面に形成された第一吸気口と、前記筐体の前記第一側面に近接して配置され、前記第一排気ファンと並設され、前記筐体内の空気を排気するための第二排気ファンと、前記第二排気ファンと対応して配置され、前記第一側面と反対側の第二側面に形成された第二吸気口と、前記第一排気ファンに対応して配置された第一冷却対象物と、前記第二排気ファンに対応して配置された第二冷却対象物と、制御部と、を備え、前記制御部は、前記第一排気ファンの回転数と前記第二排気ファンの回転数とを制御する、ことを特徴とする。
【発明の効果】
【０００９】
本発明によれば、静音化しながら冷却対象物を冷却可能な電子装置、投影装置及び冷却制御方法を提供することができる。
【図面の簡単な説明】
【００１０】
【図１】本発明の実施形態に係る投影装置の左前方側から見た外観斜視図である。
【図２】本発明の実施形態に係る投影装置の右後方側から見た外観斜視図である。
【図３】本発明の実施形態に係る投影装置の機能回路ブロックを示す図である。
【図４】本発明の実施形態に係る投影装置の内部構造を示す平面模式図である。
【図５】本発明の実施形態に係る光源装置及び光源側光学系周辺の構成を示す平面模式図である。
【発明を実施するための形態】
【００１１】
以下、本発明を実施するための形態について述べる。図１及び図２は、投影装置１０の左前方側及び右後方側から見た外観斜視図である。投影装置１０は、略直方体状に形成される。投影装置１０の筐体には、側板である正面パネル１２、背面パネル１３、右側パネル１４、及び左側パネル１５が設けられる。以下本実施形態の説明において、投影装置１０における左右とは投影方向に対しての左右方向を示し、前後とは投影装置１０の投影方向に対しての前後方向を示す。
【００１２】
投影装置１０の筺体の上面パネル１１には、キー／インジケータ部３７が設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。
【００１３】
左側パネル１５側に設けられる投影画像調整部１５ａは、一つ又は複数の回動摘みを備える。回動摘みを操作すると、図４で後述する投影光学系２２０の可動レンズの位置が調節され、投影画像の大きさやピントの調整を行うことができる。また、投影装置１０は、リモートコントローラからの制御信号を受信する図示しないＩｒ受信部を備える。
【００１４】
投影装置１０の左前方側の角部には、すり鉢状に窪んだ光出射部１２ａが設けられる。この光出射部１２ａの右側の内面には、長矩形状の複数の孔部により形成された吸気口３１０が設けられる。また、正面パネル１２の下端には、高さ調整ボタン１２ｂが設けられる。投影装置１０は、高さ調整ボタン１２ｂ上方の内部に支脚を備える。投影装置１０は、高さ調整ボタン１２ｂが押下されている間、下面からその支脚を出没させることができる。高さ調整ボタン１２ｂを操作することにより支脚を任意の突出高さで固定し、投影装置１０の高さや傾きを調節することができる。
【００１５】
正面パネル１２及び背面パネル１３の一部を含む左側パネル１５（第二側面）側には、吸気口３２０が設けられる。吸気口３２０は、左側面視においてそれぞれ上端高さが異なる複数の吸気口３２１〜３２３を含む。前方側に形成される吸気口３２１は、投影装置１０の左前方側の角部であって、光出射部１２ａ及び投影画像調整部１５ａの下方に配置される。そのため、吸気口３２１（第二吸気口）は正面パネル１２の左端部の一部にも形成される。吸気口３２１の後方に配置される吸気口３２２（第一吸気口）は、前方の吸気口３２１よりも上端が高く形成されて、投影装置１０の前後方向における中央側に配置される。吸気口３２２よりも後方に配置される吸気口３２３（第二吸気口）は、吸気口３２２よりも上端が高く形成されて、平面視において投影装置１０の左後方側の角部に配置される（図２も参照）。そのため、吸気口３２３は背面パネル１３の左端部の一部にも形成される。
【００１６】
図２に示す右側パネル１４には、前後方向及び上下方向に亘る略全面に排気口３３０が設けられる。排気口３３０の全体形状は、前後に長尺な略矩形状に形成される。なお吸気口３２０及び排気口３３０はそれぞれ長丸状の複数の孔部により形成される。
【００１７】
背面パネル１３には、ＵＳＢ端子や画像信号入力用のＤ−ＳＵＢ端子、Ｓ端子、ＲＣＡ端子、ＨＤＭＩ（登録商標）端子等の端子や電源アダプタプラグ等を含む各種入出力コネクタ部２１が設けられている。
【００１８】
図３は、投影装置１０の機能回路ブロック図である。投影装置制御部は、制御部３８、入出力インターフェース２２、画像変換部２３、表示エンコーダ２４、表示駆動部２６等から構成される。入出力コネクタ部２１から入力された各種規格の画像信号は、入出力インターフェース２２、システムバスＳＢを介して画像変換部２３で表示に適した所定のフォーマットの画像信号に統一するように変換された後、表示エンコーダ２４に出力される。
【００１９】
また、表示エンコーダ２４は、入力された画像信号をビデオＲＡＭ２５に展開記憶された上でこのビデオＲＡＭ２５の記憶内容からビデオ信号を生成して表示駆動部２６に出力する。
【００２０】
表示駆動部２６は、表示エンコーダ２４から出力された画像信号に対応して適宜のフレームレートで空間的光変調素子（ＳＯＭ）である表示素子５１を駆動する。投影装置１０は、光源装置６０から出射された光線束を、導光光学系を介して表示素子５１に照射することにより、表示素子５１の反射光で光学像を形成し、投影光学系２２０を介して図示しないスクリーンに画像を投影表示する。なお、この投影光学系２２０の可動レンズ群は、レンズモータ４５によりズーム調整やフォーカス調整のための駆動を行うことができる。
【００２１】
また、画像圧縮／伸長部３１は、画像信号の輝度信号及び色差信号をＡＤＣＴ及びハフマン符号化等の処理によりデータ圧縮して着脱自在な記録媒体であるメモリカード３２に順次書き込む記録処理を行う。さらに、画像圧縮／伸長部３１は、再生モード時にメモリカード３２に記録された画像データを読み出し、一連の動画を構成する個々の画像データを１フレーム単位で伸長し、画像変換部２３を介して表示エンコーダ２４に出力する。よって、画像圧縮／伸長部３１は、メモリカード３２に記憶された画像データに基づいて動画等の表示を行うことができる。
【００２２】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成される。
【００２３】
キー／インジケータ部３７は、筐体に設けられるメインキー及びインジケータ等により構成される。キー／インジケータ部３７の操作信号は、制御部３８に直接送出される。また、リモートコントローラからのキー操作信号は、Ｉｒ受信部３５で受信され、Ｉｒ処理部３６でコード信号に復調されて制御部３８に出力される。
【００２４】
制御部３８はシステムバスＳＢを介して音声処理部４７と接続されている。音声処理部４７は、ＰＣＭ音源等の音源回路を備えており、投影モード及び再生モード時には音声データをアナログ化し、スピーカ４８を駆動して拡声放音させる。
【００２５】
制御部３８は、光源制御回路４１を制御している。光源制御回路４１は、画像生成時に要求される所定波長帯域の光が光源装置６０から出射されるように、光源装置６０の励起光照射装置の動作を個別に制御する。また、光源制御回路４１は、制御部３８の指示により蛍光ホイール１０１及びカラーホイール２０１（図５参照）の同期のタイミングを制御する。
【００２６】
また、制御部３８は、排気ファン駆動制御回路４３に光源装置６０等に設けた複数の温度センサによる温度検出を行わせ、この温度検出の結果から第一排気ファン４０２、第二排気ファン４０１、４０３の回転速度を制御する。また、制御部３８は、排気ファン駆動制御回路４３にタイマー等により投影装置１０本体の電源ＯＦＦ後も第一排気ファン４０２、第二排気ファン４０１、４０３の回転を持続させる、あるいは、温度センサによる温度検出の結果によって投影装置１０本体の電源をＯＦＦにする等の制御も行う。
【００２７】
図４は、投影装置１０の内部構造を示す平面模式図である。投影装置１０は、前方側及び前後方向の中央側に、光源装置６０、光源側光学系１７０及び投影光学系２２０等を備える。また、投影装置１０は、後方側に入出力コネクタ部２１と接続される回路基板２４１、電源回路ブロックや光源制御ブロック等を含む回路基板２４２，２４３、及び回路基板２４２と接続されて光源装置６０内の駆動部（励起光照射装置７０、赤色光源装置１２０、蛍光ホイール装置１００及びカラーホイール装置２００等）の駆動回路を有する回路基板２４４を備える。
【００２８】
投影装置１０内において、光源装置６０の後方側には、投影装置１０内の一部を前後に区画する板状の仕切部９１と、投影装置１０内の仕切部９１よりも後方側の一部を上下に区画する板状の仕切部９２とが設けられる。仕切部９１は、前後方向に板面を向けて左右方向に段状に形成される。仕切部９２は、仕切部９１の下方に配置されて上下方向に板面を向けて左右方向に形成される。回路基板２４１は、仕切部９２の後方側において、前後方向に板面を向けて配置される。また、破線で示す回路基板２４２は、仕切部９１，９２及び回路基板２４１の上方に配置される。回路基板２４３は、仕切部９２の図示しない下面側に配置される。回路基板２４３には、比較的大容量のコンデンサやレギュレータ等を含む変圧回路が形成される（不図示）。このように、光源装置６０の後方には、回路基板２４１，２４２及び仕切部９１，９２により四方が略囲われて左右に延設された筒状の流路Ｆ３が形成される。
【００２９】
投影装置１０は、筐体の右側パネル１４（第一側面）側の内側に近接して配置された複数の第一排気ファン４０２、第二排気ファン４０１、４０３を備える。第二排気ファン４０１及び第二排気ファン４０３は第一排気ファン４０２の両側方に設けられる。第一排気ファン４０２、第二排気ファン４０１、４０３は、排気口３３０側に空気を送風するように、右側パネル１４と略平行に並設された軸流ファンである。したがって、投影装置１０内には第一排気ファン４０２、第二排気ファン４０１、４０３に対応して略平行な複数の流路Ｆ１〜Ｆ３が形成されて、冷却風全体は、吸気口３１０,３２０が形成された左側パネル１５側から、排気口３３０が形成された右側パネル１４側に向かって流通する。このように、投影装置１０は、各熱源よりも冷却風の下流側である排気口３３０側に第一排気ファン４０２、第二排気ファン４０１、４０３が配置されたプル型冷却により冷却される。
【００３０】
ここで、図５を参照して、光源装置６０及び光源側光学系１７０周辺の構成について説明する。光源装置６０は、青色波長帯域光の光源であって励起光源でもある励起光照射装置７０と、緑色波長帯域光の光源である緑色光源装置８０と、赤色波長帯域光の光源である赤色光源装置１２０と、カラーホイール装置２００とを備える。緑色光源装置８０は、励起光照射装置７０と蛍光ホイール装置１００とにより構成される。
【００３１】
光源装置６０には、各色波長帯域光を導光する導光光学系１４０が配置されている。導光光学系１４０は、励起光照射装置７０、緑色光源装置８０及び赤色光源装置１２０から出射される光を光源側光学系１７０に導光する。
【００３２】
励起光照射装置７０は、投影装置１０の正面パネル１２近傍に配置される。励起光照射装置７０は、複数の青色レーザダイオード７１から成る光源群、集光レンズ７７，７８及び拡散板７９を備える。青色レーザダイオード７１は、半導体発光素子であり、背面パネル１３と光軸が平行となるよう配置される。
【００３３】
上述の光源群は、複数の青色レーザダイオード７１がマトリクス状に配置されて形成される。各青色レーザダイオード７１の光軸上には、青色レーザダイオード７１からの出射光の指向性を高めるように、各々平行光に変換するコリメータレンズ７３が配置される。集光レンズ７７及び集光レンズ７８は、青色レーザダイオード７１から出射される光線束を一方向に縮小して拡散板７９に出射する。拡散板７９は、入射した青色波長帯域光を、蛍光ホイール１０１側に配置された第一ダイクロイックミラー１４１へ拡散透過する。
【００３４】
励起光照射装置７０は、投影装置１０内に配置されたヒートシンク５００等によって冷却される。ヒートシンク５００は、励起光照射装置７０とベース板５３０により接続される。ヒートシンク５００のフィン５２０は、ヒートパイプ５１０を介してベース板５３０と接続される。フィン５２０は投影装置１０の前後方向における略中央側において第一排気ファン４０２に対して近接配置される（図４も参照）。
【００３５】
図４の平面視に示すように、フィン５２０の板体のうち投影装置１０の内側の一端部には、斜め後方へ向けて屈曲した屈曲部５２１が形成される。屈曲部５２１は右側パネル１４側の外側から投影装置１０の内部を見たときに内部の回路基板２４４等が殆ど見えない程度に屈曲している。したがって、投影装置１０の回路基板２４４等の故障を想定した安全対策規格に対応することができる。
【００３６】
さらに、投影装置１０内後方の流路Ｆ３には複数の回路基板２４１〜２４３が配置される。第二排気ファン４０３及び吸気口３２３における投影装置１０の内側には複数の開口孔が形成された板状のメッシュ板金７０１，７０２が配置される。メッシュ板金７０１，７０２の開口孔は、吸気口３１０，３２０及び排気口３３０の孔部よりも細目に形成され、例えばメッシュ板金７０１，７０２の開口孔の形状は、長尺方向については５ｍｍ以下とし、短尺方向については１ｍｍ以下に設定される。したがって、フィン５２０の屈曲部５２１と同様に、内部の回路基板２４１〜２４３等の安全対策規格に対応することができる。本実施形態の投影装置１０は、フィン５２０に屈曲部５２１を設けたことにより、回路基板２４４に対応する流路Ｆ２においてはメッシュ板金の配置を省略することができ、安全対策に使用する部品点数を少なくすることができる。また、屈曲部５２１は投影装置１０の内側に設けたため、屈曲部５２１をフィン５２０の第一排気ファン４０２側に設けた場合に比べて、流路Ｆ２における流路抵抗の増加を低減することができる。
【００３７】
図５に示す蛍光ホイール装置１００は、励起光照射装置７０から出射される励起光の光路上であって、正面パネル１２の近傍に配置される。蛍光ホイール装置１００は、蛍光ホイール１０１、モータ１１０、集光レンズ群１１１及び集光レンズ１１５を備える。蛍光ホイール１０１は、励起光照射装置７０からの出射光の光軸と直交するように配置される。モータ１１０は、蛍光ホイール１０１を回転駆動する。
【００３８】
蛍光ホイール１０１は、円板状に形成され、モータ１１０の駆動により回転することができる。蛍光ホイール１０１は、図示はしないが、蛍光発光領域と透過領域を、周方向に並設している。蛍光ホイール１０１の基材は銅やアルミニウム等の金属基材により形成することができる。この基材の励起光照射装置７０側の表面は銀蒸着等によってミラー加工されている。蛍光発光領域には、このミラー加工された表面に形成された緑色蛍光体層が形成される。蛍光発光領域は、励起光照射装置７０から青色波長帯域光を励起光として受けて、全方位に緑色波長帯域の蛍光を出射する。この蛍光は、投影装置１０から右側パネル１４側へ出射され、集光レンズ群１１１に入射する。
【００３９】
また、蛍光ホイール１０１の透過領域は、蛍光ホイール１０１の基材に形成された切抜部に、透光性を有する透明基材を嵌入して形成することができる。透明基材は、ガラスや樹脂等の透明な材料で形成される。また、透明基材には、青色波長帯域光が照射される側又はその反対側の表面に拡散層を設けてもよい。拡散層は、例えば、その透明基材の表面に、サンドブラスト等による微細凹凸を形成して設けることができる。透過領域に入射された励起光照射装置７０からの青色波長帯域光は、透過領域を透過又は拡散透過し、集光レンズ１１５に入射する。
【００４０】
集光レンズ群１１１は、励起光照射装置７０から出射された青色波長帯域光の光線束を蛍光ホイール１０１に集光するとともに蛍光ホイール１０１から右側パネル１４方向に出射された蛍光を集光する。集光レンズ１１５は、蛍光ホイール１０１から左側パネル１５方向に出射された光線束を集光する。
【００４１】
赤色光源装置１２０は、青色レーザダイオード７１と出射光の光軸が平行となるように配置された半導体発光素子である赤色発光ダイオード１２１と、赤色発光ダイオード１２１から出射された赤色波長帯域光を集光する集光レンズ群１２５と、を備える。赤色光源装置１２０は、赤色発光ダイオード１２１が出射する赤色波長帯域光の光軸と、蛍光ホイール１０１から出射されて第一ダイクロイックミラー１４１で反射された緑色波長帯域光の光軸とが交差するように配置される。
【００４２】
赤色光源装置１２０は、投影装置１０内に配置されたヒートシンク６００等によって冷却される。ヒートシンク６００は、赤色光源装置１２０とベース板６３０により接続される。ヒートシンク６００のフィン６２０は、ヒートパイプ６１０を介してベース板６３０と接続される。フィン６２０は投影装置１０の前後方向における略中央側に配置される（図４も参照）。
【００４３】
導光光学系１４０は、第一ダイクロイックミラー１４１、第二ダイクロイックミラー１４２、第三ダイクロイックミラー１４３、光線束を集光させる集光レンズ１４５，１４６，１４７、青色波長帯域光を第三ダイクロイックミラー１４３側へ反射する反射ミラー１４４等からなる。以下、各部材について説明する。
【００４４】
第一ダイクロイックミラー１４１は、拡散板７９と集光レンズ群１１１との間の位置に配置される。第一ダイクロイックミラー１４１は、青色波長帯域光を集光レンズ群１１１側へ透過するとともに、緑色波長帯域光を集光レンズ１４５方向に反射してその光軸を９０度変換する。
【００４５】
第一ダイクロイックミラー１４１で反射された緑色波長帯域光は、集光レンズ１４５で集光されて、第二ダイクロイックミラー１４２に入射する。第二ダイクロイックミラー１４２は、緑色波長帯域光と赤色波長帯域光とを同一光軸に合成する合成手段であり、緑色波長帯域光を反射し、赤色波長帯域光を透過する。
【００４６】
第二ダイクロイックミラー１４２で反射された緑色波長帯域光は、集光レンズ１４６で集光され、集光レンズ１４６の左側パネル１５側に配置された第三ダイクロイックミラー１４３に入射する。第三ダイクロイックミラー１４３は、赤色波長帯域光及び緑色波長帯域光を反射して、青色波長帯域光を透過する。従って、第三ダイクロイックミラー１４３は、集光レンズ１４６で集光された赤色波長帯域光及び緑色波長帯域光を集光レンズ１７３へ反射して、赤色波長帯域光及び緑色波長帯域光を導光する。
【００４７】
また、蛍光ホイール１０１における青色波長帯域光の照射領域が透過領域であるとき、青色レーザダイオード７１から出射された青色波長帯域光は蛍光ホイール１０１を透過し、集光レンズ１１５で集光された後に反射ミラー１４４に導光される。反射ミラー１４４は、蛍光ホイール１０１を透過又は拡散透過した青色波長帯域光の光軸上に配置される。反射ミラー１４４は、青色波長帯域光を反射してその光軸を背面パネル１３側に配置された集光レンズ１４７に導光する。第三ダイクロイックミラー１４３は、集光レンズ１４７により集光された青色波長帯域光を透過して、集光レンズ１７３に向けて導光する。
【００４８】
光源側光学系１７０は、集光レンズ１７３、ライトトンネル１７５、集光レンズ１７８、光軸変換ミラー１８１、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を投影光学系２２０に向けて出射するので、投影光学系２２０の一部でもある。
【００４９】
集光レンズ１７３は、ライトトンネル１７５の第三ダイクロイックミラー１４３側に配置される。集光レンズ１７３は、第三ダイクロイックミラー１４３から導光された緑色波長帯域光、青色波長帯域光及び赤色波長帯域光を集光する。集光レンズ１７３により集光された各色波長帯域光は、カラーホイール装置２００のカラーホイール２０１に照射される。
【００５０】
カラーホイール装置２００は、カラーホイール２０１と、そのカラーホイール２０１を回転駆動するモータ２１０とを備える。カラーホイール装置２００は、集光レンズ１７３から出射された光線束の光軸とカラーホイール２０１上の照射面が直交するように、集光レンズ１７３とライトトンネル１７５との間に配置される。
【００５１】
カラーホイール２０１は、円板状に形成され、モータ２１０により回転駆動することができる。カラーホイール２０１は、全色透過領域と、青赤透過領域とを周方向に並設している。全色透過領域は、青色波長帯域光、緑色波長帯域光及び赤色波長帯域光を透過させることができる。また、青赤透過領域は、青色波長帯域光及び赤色波長帯域光を透過することができる。カラーホイール２０１に入射した青色波長帯域光、緑色波長帯域光及び赤色波長帯域光は、全色透過領域又は青赤透過領域を透過して調光された後、ライトトンネル１７５に向かって導光される。ライトトンネル１７５に入射した光線束は、ライトトンネル１７５内で均一な強度分布の光線束となる。
【００５２】
ライトトンネル１７５の背面パネル１３側の光軸上には、集光レンズ１７８が配置される。集光レンズ１７８のさらに背面パネル１３側には、光軸変換ミラー１８１が配置される。ライトトンネル１７５の出射口から出射した光線束は、集光レンズ１７８で集光された後、光軸変換ミラー１８１により、左側パネル１５側に反射される。
【００５３】
光軸変換ミラー１８１で反射した光線束は、集光レンズ１８３により集光された後、照射ミラー１８５により、コンデンサレンズ１９５を介して表示素子５１に所定の角度で照射される。ＤＭＤである表示素子５１の下方前方側にはヒートシンク１９０が設けられる（図４も参照）。表示素子５１は、このヒートシンク１９０により冷却される。
【００５４】
図４及び図５の平面視において、フィン１９１の板体のうち投影装置１０の内側の一端部には、斜め後方へ向けて屈曲した屈曲部１９１ａが形成される。屈曲部１９１ａは左側パネル１５側の外側から投影装置１０の内部を見たときに内部の回路基板２４４等が殆ど見えない程度に屈曲している。屈曲部１９１ａを設けたことにより、投影装置１０の左側パネル１５側においても、回路基板２４４等の故障を想定した安全対策規格に対応することができる。
【００５５】
光源側光学系１７０により表示素子５１の画像形成面に照射された光源光は、表示素子５１の画像形成面で反射され、投影光として投影光学系２２０を介してスクリーンに投影される。ここで、投影光学系２２０は、コンデンサレンズ１９５と、レンズ鏡筒２３０内に設けられた可動レンズ群及び固定レンズ群により構成される。レンズ鏡筒２３０は、可変焦点型レンズとされ、ズーム調節やフォーカス調節が可能に形成される。可動レンズ群は、レンズモータ４５により自動で又は投影画像調整部１５ａにより手動で移動可能に形成される。
【００５６】
このように投影装置１０を構成することで、蛍光ホイール１０１及びカラーホイール２０１を同期回転させるとともに励起光照射装置７０及び赤色光源装置１２０から適宜のタイミングで光を出射すると、緑色、青色及び赤色の各波長帯域光が導光光学系１４０を介して集光レンズ１７３に入射され、光源側光学系１７０を介して表示素子５１に入射される。そのため、表示素子５１がデータに応じて各色の光を時分割表示することにより、スクリーンにカラー画像を投影することができる。
【００５７】
次に、本実施形態の投影装置１０に設けられた流路Ｆ１〜Ｆ３について説明する。図４に示す投影装置１０の筐体内には、前述の通り三つの流路Ｆ１〜Ｆ３が形成される。各流路Ｆ１〜Ｆ３は、図４の平面視において略平行な同一方向となるように形成される。
【００５８】
正面パネル１２側の流路Ｆ１の空気は、主に吸気口３１０，３２１から吸気される。投影装置１０内において、光出射部１２ａの下方に位置する吸気口３２１から吸気された流路Ｆ１の空気は、主にレンズ鏡筒２３０の下面側を流通した後に、光源装置６０の筺体の蛍光ホイール装置１００、カラーホイール装置２００、赤色光源装置１２０及び励起光照射装置７０周辺の下面側を流通する。カラーホイール装置２００の下面を経て赤色光源装置１２０の下面を流通した空気は、ヒートシンク６００のヒートパイプ６１０やベース板６３０の周辺を通り、励起光照射装置７０側へ向かう。赤色光源装置１２０及び蛍光ホイール装置１００の下面を通り励起光照射装置７０の下面を流通した空気は、ヒートシンク５００のヒートパイプ５１０やベース板５３０の周辺を通り、第二排気ファン４０１を介して排気口３３０の正面パネル１２側から外部に排気される。第二排気ファン４０１には流路Ｆ１内に配置される冷却対象物であるヒートパイプ５１０やベース板５３０（第二冷却対象物）が近接して配置される。
【００５９】
また、投影装置１０内において、吸気口３１０から吸気された流路Ｆ１の空気は、主に光源装置６０の筺体の上面側（上面パネル１１側）或いは前面側（正面パネル１２側）を流通した後に、ヒートパイプ５１０やベース板５３０の周辺を通り、第二排気ファン４０１を介して排気口３３０の正面パネル１２側から外部に排気される。したがって、流路Ｆ１を流通する空気により、主として、熱源である蛍光ホイール装置１００、カラーホイール装置２００、赤色光源装置１２０及び励起光照射装置７０を含む光源装置６０の筺体の一部、ヒートシンク６００のベース板６３０側、及びヒートシンク５００のベース板５３０側を冷却することができる。
【００６０】
中央側の流路Ｆ２の空気は、主に吸気口３２２から吸気される。投影装置１０内において、吸気口３２２から吸気された流路Ｆ２の空気は、主にレンズ鏡筒２３０の下面に配置されるヒートシンク１９０のフィン１９１を通った後に、光源装置６０の筺体の光源側光学系１７０側の下面を流通する。その後、流路Ｆ２の空気は、ヒートシンク６００のフィン６２０、回路基板２４４周辺、及びヒートシンク５００のフィン５２０の順に通り、第一排気ファン４０２を介して排気口３３０の前後方向の中央側から排気される。したがって、流路Ｆ２を流通する空気により、主として、フィン１９１，６２０，５２０を冷却して表示素子５１、赤色光源装置１２０及び励起光照射装置７０を冷却するとともに、光源装置６０の筺体の光源側光学系１７０側の一部や回路基板２４４を冷却することができる。
【００６１】
背面パネル１３側の流路Ｆ３の空気は、主に吸気口３２３から吸気される。投影装置１０内において、吸気口３２３の上側の吸気領域３２３ａ（図１参照）から吸気された流路Ｆ３の空気は、主に、光源装置６０の後方に配置された仕切部９１,９２と、回路基板２４１，２４２とによって形成される略筒状の空間を流通する。また、吸気口３２３の下側の吸気領域３２３ｂ（図１参照）から吸気された流路Ｆ３の空気は、主に仕切部９１及び回路基板２４１の下端側と、仕切部９２と、投影装置１０の図示しない底面部とによって形成される略筒状の空間を流通する。したがって、流路Ｆ３の空気は、仕切部９２によって区画された上段の流路と下段の流路とに分かれて流通する。流路Ｆ３の上段側を流通する空気は、主として、回路基板２４１，２４２を冷却することができる。流路Ｆ３の下段側を流通する空気は、主として、回路基板２４３や回路基板２４１の下端側の一部を冷却することができる。流路Ｆ３を流れる空気は、第二排気ファン４０３側で合流し、第二排気ファン４０３を介して排気口３３０の背面パネル１３側から外部に排気される。第二排気ファン４０３は、流路Ｆ３内に配置される冷却対象物である回路基板２４１，２４３（第二冷却対象物）に近接して配置される。したがって、流路Ｆ３を流通する空気により、主として、回路基板２４１，２４２，２４３を冷却することができる。
【００６２】
本実施形態では、表示素子５１、蛍光ホイール装置１００、赤色発光ダイオード１２１及び青色レーザダイオード７１の順に発熱量が大きくなる。例えば、各熱源から発生する熱エネルギーとしては、例えば、表示素子５１は１０［Ｗ］、蛍光ホイール１０１は１５〜２０［Ｗ］、赤色発光ダイオード１２１を含む赤色光源装置１２０は２５［Ｗ］、青色レーザダイオード７１を含む励起光照射装置７０は１００［Ｗ］程度となる。カラーホイール２０１から発生する熱エネルギーについても蛍光ホイール１０１と同様に１５〜２０［Ｗ］程度となる。したがって、赤色光源装置１２０の発熱量は、表示素子５１、蛍光ホイール装置１００やカラーホイール装置２００よりも大きい中程度の発熱量である。また、励起光照射装置７０の発熱量は赤色光源装置１２０よりも大きい発熱量である。
【００６３】
したがって、投影装置１０の内部において、第二排気ファン４０１に対応する流路Ｆ１の冷却対象物（第二冷却対象物）として、冷却風の上流側である吸気口３１０，３２１側に配置される冷却対象物が、下流側である排気口３３０側の冷却対象物よりも発熱量が小さくなるように配置される。
【００６４】
また、第一排気ファン４０２に対応する流路Ｆ２の冷却対象物（第一冷却対象物）は、表示素子５１のヒートシンク１９０のフィン１９１と、赤色光源装置１２０のヒートシンク６００のフィン６２０と、励起光照射装置７０のヒートシンク５００のフィン５２０の順に、発熱量が大きくなる。そのため、冷却風の上流側である吸気口３２２側に配置される冷却対象物が、下流側である排気口３３０側の冷却対象物よりも発熱量が小さくなるように配置される。したがって、流路Ｆ１及び流路Ｆ２では、直列的に流路に沿って配置された各冷却対象物に対して、その冷却対象物の温度よりも低温の空気を当てることができ、効率的に冷却を行うことができる。
【００６５】
さらに、第二排気ファン４０３に対応する流路Ｆ３の冷却対象物（第二冷却対象物）は、主として左右方向の流路に沿って配置された回路基板２４１，２４２，２４３であるため、効率良く冷却することができる。
【００６６】
また、本実施形態では、第一排気ファン４０２に対応する投影装置１０の中央側の流路Ｆ２に主冷却対象物であるフィン１９１，６２０，５２０を直列的に複数配置している。流路Ｆ２は、投影装置１０内では中央側に位置し、流路Ｆ２に隣接する流路Ｆ１，Ｆ３も流路Ｆ２と略平行に流通するように形成されるため、比較的流路抵抗が小さい。また、第一排気ファン４０２、第二排気ファン４０１，４０３を排気口３３０と対応する略全面に配置したことにより、投影装置１０内の全体に空気が流通するように大きな送風量を得ることができる。そのため、主冷却ファンである第一排気ファン４０２に対応するフィン１９１，６２０，５２０の冷却効果を高め、その結果、熱源である赤色光源装置１２０や励起光照射装置７０の温度上昇を低減することができる。
【００６７】
このように、本実施形態では流路Ｆ２が形成される投影装置１０の中央側にフィン１９１，６２０，５２０を配置させており、中央側の第一排気ファン４０２を主冷却ファンとして機能させ、第一排気ファン４０２の側方に配置される第二排気ファン４０１，４０３を副冷却ファンとして機能させることができる。
【００６８】
また、主冷却ファンである第一排気ファン４０２の両側方の二箇所に近接するように並設された第二排気ファン４０１，４０３の回転数は、第一排気ファン４０２の回転数よりも大きくなるように制御される。これにより、各排気ファン４０１〜４０３により発生した騒音が重畳されても、各騒音のピークとなる周波数同士がずれて、特定の周波数における騒音レベルが強まり合うことを防止できる。全体の風量を低下させることなく静音化することができる。また、このように副冷却ファンである第二排気ファン４０１，４０３の回転数を、第一排気ファン４０２の回転数よりも大きくなるように制御すると、静音化しながら第一排気ファン４０２に発熱量の比較的大きいフィン５２０を近接して配置することができる。したがってフィン５２０が接続される熱源である励起光照射装置７０を効果的に冷却することができる。
【００６９】
フィン５２０（第一冷却対象物）は第一排気ファン４０２に対して近接配置されているので、主冷却ファンである第一排気ファン４０２の回転数を、副冷却ファンである第二排気ファン４０１，４０３に対して大きくすると、騒音が大きくなってしまう。
【００７０】
これに対し、副冷却ファンである第二排気ファン４０１と、ヒートパイプ５１０やベース板５３０（第二冷却対象物）との距離は、第一排気ファン４０２とフィン５２０（第一冷却対象物）との距離に対して離間配置されているため、副冷却ファンである第二排気ファン４０１の回転数を第一排気ファン４０２の回転数と比較して大きくすることができる。また、副冷却ファンである第二排気ファン４０３と、回路基板２４１，２４３（第二冷却対象物）との距離も、第一排気ファン４０２とフィン５２０（第一冷却対象物）との距離に対して離間配置されているため、副冷却ファンである第二排気ファン４０３の回転数を第一排気ファン４０２の回転数と比較して大きくすることができる。このように、副冷却ファンの回転数を大きくすることで騒音を低下できる。
【００７１】
なお、投影モードによって、第一排気ファン４０２（主冷却ファン）と、第二排気ファン４０１、４０３（副冷却ファン）との回転数を同じにするときと、異なる回転数にするときと、切り替える制御を行うことができる。
【００７２】
また、投影装置１０内に複数設けられた温度センサの結果によっては、熱源の温度上昇を抑えるように第一排気ファン４０２の回転数を増減させて冷却することが有るが、この場合も第二排気ファン４０１，４０３の回転数は第一排気ファン４０２の回転数よりも大きくなるように設定される。なお、第二排気ファン４０１，４０３の回転数を増加させることにより流路Ｆ１，Ｆ３における負圧を増加させることができるが、流路Ｆ２に比べて流路Ｆ１，Ｆ３の流路抵抗が低すぎると流路Ｆ２を冷却風が通り難くなるため、例えば、メッシュ板金７０１，７０２の開口孔の目の粗さや配置する位置或いは枚数を適宜設定して各流路Ｆ１〜Ｆ３における流路抵抗の差が大きくなり過ぎないように調整してもよい。
【００７３】
また、第二排気ファン４０１と第二排気ファン４０３の回転数の関係は、流路Ｆ１，Ｆ３に配置された冷却対象物の温度上昇や騒音等を抑えるように適宜設定することができる。第二排気ファン４０１の回転数は第二排気ファン４０３と同じ又は異なるように設定することができる。或いは第二排気ファン４０３の回転数は、第二排気ファン４０３よりも高く設定してもよいし、低く設定してもよい。
【００７４】
本実施形態では、ヒートパイプ５１０若しくはベース板５３０、又は回路基板２４１，２４３（第二冷却対象物）は、第一排気ファン４０２とフィン１９１（第一冷却対象物）との間の距離よりも第二排気ファン４０１，４０３から離間して配置される構成について示したが、第二排気ファン４０１，４０３と、ヒートパイプ５１０若しくはベース板５３０、又は回路基板２４１，２４３（第二冷却対象物）との間の距離よりも、フィン１９１（第一冷却対象物）が第一排気ファン４０２から離間して配置されてもよい。各排気ファン４０１〜４０３からそれぞれ対応する冷却対象物までの距離は同じであってもよい。
【００７５】
なお、本実施形態では、投影装置１０が、主冷却ファンである第一排気ファン４０２と、第一排気ファン４０２の両側方の二箇所に近接するように並設された副冷却ファンである第二排気ファン４０１，４０３とによる合計３個の排気ファンを備える構成としたが、主冷却ファン及び副冷却ファンがそれぞれ１個ずつ設けられる構成としてもよい。或いは、主冷却ファン一個に対して副冷却ファンが複数、又は主冷却ファン及び副冷却ファンがそれぞれ複数配置される構成としてもよい。
【００７６】
また、本実施形態では、主冷却ファンである第一排気ファン４０２と、副冷却ファンである第二排気ファン４０１，４０３と、第一排気ファン４０２により冷却される冷却対象物を筐体内に備える投影装置１０を例に説明したが、熱源である冷却対象物や複数の排気ファンを筐体内に備えるその他の電子装置に適用してもよい。
【００７７】
以上、本実施形態で説明した電子装置である投影装置１０が、筐体と、筐体の第一側面に近接して配置された第一排気ファンと、筐体の第一側面に近接しており、第一排気ファンと並設された第二排気ファンと、第一排気ファンに対応して配置された第一冷却対象物と、第二排気ファンの回転数を、第一排気ファンの回転数よりも大きくなるように制御する制御部３８と、を備える構成について説明した。第一排気ファン４０２、第二排気ファン４０１、４０３が第一側面に近接して配置されており、プル型冷却により冷却対象物を冷却する構成としたため、熱源毎に局所冷却用のファンを必要とせず全体を小型化することができる。また、第二排気ファン４０１、４０３の回転数を第一排気ファン４０２の回転数よりも大きくすることで全体の送風量を下げることなく、第一排気ファン４０２、第二排気ファン４０１、４０３による全体の駆動音を静音化し、第一冷却対象物を冷却することができる。よって、静音化しながら冷却対象物の冷却をする電子装置、投影装置１０及び冷却制御方法を構成することができる。
【００７８】
また、第一排気ファン及び第二排気ファンが、筐体の第一側面側に空気を送風するように第一側面と平行に並設した軸流ファンである構成の電子装置は、略同方向に風量の大きな冷却風を流通させることができる。
【００７９】
また、第二排気ファンに対応して近接配置された第二冷却対象物が、第一排気ファンと、第一排気ファンに近接配置された第一冷却対象物との間の距離よりも、第二排気ファンから離間して配置される電子装置は、排気ファン４０１〜４０３の駆動による騒音を静音化しながら、主冷却対象物である第一冷却対象物の冷却を効果的に行うことができる。
【００８０】
また、第二排気ファンが、第一排気ファンの両側方に設けられる電子装置は、筐体内を流通する冷却風の風量を増加させることができる。
【００８１】
第一排気ファン４０２と第二排気ファン４０１、４０３は、略同一形状且つ略同一サイズである。また、筐体は、第一側面に排気口３３０を有し、第一側面と反対側の第二側面に吸気口３２０を有し、吸気口３２０と、第一排気ファン４０２との間に第一排気ファンに対応して直列的に配置された複数の第一冷却対象物を有し、複数の第一冷却対象物のうち、吸気口３２０側の第一冷却対象物（例えばフィン１９１）は、排気口３３０側の第一冷却対象物（例えばフィン５２０）よりも発熱量が小さい構成について説明した。そのため、各第一冷却対象物に対して、低温の空気を当てることができ、冷却効率を高めることができる。
【００８２】
なお、上記実施形態においては、略同一形状且つ略同一サイズの第一排気ファン４０２、第二排気ファン４０１、４０３において、第一排気ファン４０２の両側方に、第二排気ファン４０１、４０３を設ける構成とした。更に、第二排気ファン４０１、４０３の回転数を第一排気ファン４０２の回転数よりも大きくすることで、全体の送風量を下げることなく、第一排気ファン４０２、第二排気ファン４０１、４０３による全体の駆動音を静音化し、第一冷却対象物を冷却するものとした。しかし、この構成に限らない。
【００８３】
例えば、第一排気ファン４０２、第二排気ファン４０１、４０３の面積を略同一としながら、第一排気ファン４０２の厚さを第二排気ファン４０１、４０３の厚さより薄くする構成にしても良い。このような構成にすることで、第一排気ファン４０２の厚さと第二排気ファン４０１、４０３の厚さとが略同一の場合と比較して、第一排気ファン４０２と第一冷却対象物であるフィン５２０との距離をより大きくすることができる。これにより、第一排気ファン４０２と、第二排気ファン４０１、４０３と、の回転数を略同一とした場合でも、第一排気ファン４０２、第二排気ファン４０１、４０３による全体の駆動音を静音化しながら、第一冷却対象物を効率良く冷却することができる。
【００８４】
或いは、第一排気ファン４０２、第二排気ファン４０１、４０３の厚さを略同一としながら、第一排気ファン４０２の面積を第二排気ファン４０１、４０３の面積より小さくしても良い。この場合も、第一排気ファン４０２と、第二排気ファン４０１、４０３と、の回転数を調整することで、全体の駆動音を静音化しながら、第一冷却対象物を効率良く冷却することができる。
【００８５】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８６】
以下に、本願出願の最初の特許請求の範囲に記載された発明を付記する。
［１］  筐体と、
前記筐体の第一側面に近接して配置され、前記筐体内の空気を排気するための第一排気ファンと、
前記第一排気ファンと対応して配置され、前記第一側面と反対側の第二側面に形成された第一吸気口と、
前記筐体の前記第一側面に近接して配置され、前記第一排気ファンと並設され、前記筐体内の空気を排気するための第二排気ファンと、
前記第二排気ファンと対応して配置され、前記第一側面と反対側の第二側面に形成された第二吸気口と、
前記第一排気ファンに対応して配置された第一冷却対象物と、
前記第二排気ファンに対応して配置された第二冷却対象物と、
前記第一排気ファンの回転数と前記第二排気ファンの回転数とを制御する制御部と、
を備えることを特徴とする電子装置。
［２］  前記第一排気ファン及び前記第二排気ファンは、前記筐体の前記第一側面側に空気を送風するように前記第一側面と平行に並設した軸流ファンであることを特徴とする前記［１］に記載の電子装置。
［３］  前記第二排気ファンは、前記第一排気ファンの両側方に設けられることを特徴とする前記［１］乃又は前記［２］に記載の電子装置。
［４］  前記制御部は、前記第二排気ファンの回転数を、前記第一排気ファンの回転数よりも大きくなるように制御することを特徴とする前記［１］乃至前記［３］の何れかに記載の電子装置。
［５］  前記第二排気ファンに対応して近接配置された前記第二冷却対象物は、前記第一排気ファンと、前記第一排気ファンに近接配置された前記第一冷却対象物との間の距離よりも、前記第二排気ファンから離間して配置される、ことを特徴とする前記［１］乃至前記［４］の何れかに記載の電子装置。
［６］  前記第一排気ファンと前記第二排気ファンとは、略同一形状且つ略同一サイズであることを特徴とする前記［１］乃至前記［５］の何れかに記載の電子装置。
［７］  前記第一排気ファンの厚さは前記第二排気ファンの厚さよりも薄い、又は前記第一排気ファンの面積は前記第二排気ファンの面積よりも小さい、ことを特徴とする前記［１］乃至前記［３］の何れかに記載の電子装置。
［８］  前記筐体は、
前記第一側面に排気口を有し、
前記第一側面と反対側の第二側面に吸気口を有し、
前記吸気口と前記第一排気ファンとの間に、前記第一排気ファンに対応して直列的に配置された複数の前記第一冷却対象物を有し、
複数の前記第一冷却対象物のうち、前記吸気口側の前記第一冷却対象物は、前記排気口側の前記第一冷却対象物よりも発熱量が小さい、
ことを特徴とする前記［１］乃至前記［７］の何れかに記載の電子装置。
［９］  筐体と、
光源装置と、
前記光源装置から出射された光源光により画像光を生成する表示素子と、
前記表示素子から出射された前記画像光をスクリーンに投影する投影光学系と、
前記筐体の第一側面に近接して配置され、前記筐体内の空気を排気するための第一排気ファンと、
前記第一排気ファンと対応して配置され、前記第一側面と反対側の第二側面に形成された第一吸気口と、
前記筐体の前記第一側面に近接して配置され、前記第一排気ファンと並設され、前記筐体内の空気を排気するための第二排気ファンと、
前記第二排気ファンと対応して配置され、前記第一側面と反対側の第二側面に形成された第二吸気口と、
前記第一排気ファンに対応して配置された第一冷却対象物と、
前記第二排気ファンに対応して配置された第二冷却対象物と、
前記光源装置及び前記表示素子を制御するとともに、前記第一排気ファンの回転数と前記第二排気ファンの回転数とを制御する制御部と、
を備えることを特徴とする投影装置。
［１０］  電子装置の冷却制御方法であって、
前記電子装置は、
筐体と、
前記筐体の第一側面に近接して配置され、前記筐体内の空気を排気するための第一排気ファンと、
前記第一排気ファンと対応して配置され、前記第一側面と反対側の第二側面に形成された第一吸気口と、
前記筐体の前記第一側面に近接して配置され、前記第一排気ファンと並設され、前記筐体内の空気を排気するための第二排気ファンと、
前記第二排気ファンと対応して配置され、前記第一側面と反対側の第二側面に形成された第二吸気口と、
前記第一排気ファンに対応して配置された第一冷却対象物と、
前記第二排気ファンに対応して配置された第二冷却対象物と、
制御部と、を備え、
前記制御部は、前記第一排気ファンの回転数と前記第二排気ファンの回転数とを制御する、
ことを特徴とする冷却制御方法。
【符号の説明】
【００８７】
１０      投影装置                      １１      上面パネル
１２      正面パネル                    １２ａ    光出射部
１２ｂ    高さ調整ボタン                １３      背面パネル
１４      右側パネル                    １５      左側パネル
１５ａ    投影画像調整部                ２１      入出力コネクタ部
２２      入出力インターフェース        ２３      画像変換部
２４      表示エンコーダ                ２５      ビデオＲＡＭ
２６      表示駆動部                    ３１      画像圧縮／伸長部
３２      メモリカード                  ３５      Ｉｒ受信部
３６      Ｉｒ処理部                    ３７      キー／インジケータ部
３８      制御部                        ４１      光源制御回路
４３      排気ファン駆動制御回路        ４５      レンズモータ
４７      音声処理部                    ４８      スピーカ
５１      表示素子                      ６０      光源装置
７０      励起光照射装置                ７１      青色レーザダイオード
７３      コリメータレンズ              ７７      集光レンズ
７８      集光レンズ                    ７９      拡散板
８０      緑色光源装置                  ９１      仕切部
９２      仕切部                        １００    蛍光ホイール装置
１０１    蛍光ホイール                  １１０    モータ
１１１    集光レンズ群                  １１５    集光レンズ
１２０    赤色光源装置                  １２１    赤色発光ダイオード
１２５    集光レンズ群                  １４０    導光光学系
１４１    第一ダイクロイックミラー      １４２    第二ダイクロイックミラー
１４３    第三ダイクロイックミラー      １４４    反射ミラー
１４５    集光レンズ                    １４６    集光レンズ
１４７    集光レンズ                    １７０    光源側光学系
１７３    集光レンズ                    １７５    ライトトンネル
１７８    集光レンズ                    １８１    光軸変換ミラー
１８３    集光レンズ                    １８５    照射ミラー
１９０    ヒートシンク                  １９１    フィン
１９５    コンデンサレンズ              ２００    カラーホイール装置
２０１    カラーホイール                ２１０    モータ
２２０    投影光学系                    ２３０    レンズ鏡筒
２４１〜２４４  回路基板                ３１０    吸気口
３２０（３２１〜３２３）  吸気口        ３２３ａ  吸気領域
３２３ｂ  吸気領域                      ３３０    排気口
４０１、４０３  第二排気ファン          ４０２    第一排気ファン
５００    ヒートシンク
５１０    ヒートパイプ                  ５２０    フィン
５２１    屈曲部                        ５３０    ベース板
６００    ヒートシンク                  ６１０    ヒートパイプ
６２０    フィン                        ６３０    ベース板
７０１    メッシュ板金                  ７０２    メッシュ板金
Ｆ１      流路                          Ｆ２      流路
Ｆ３      流路                          ＳＢ      システムバス
【図１】
2020160420.tif 000003
【図２】
2020160420.tif 000004
【図３】
2020160420.tif 000005
【図４】
2020160420.tif 000006
【図５】
2020160420.tif 000007